(57)【要約】（ａ）元の画像をＹ方向（垂直）に２〜１０％の範囲内に入る率でストレッチし、注視点を選択し、前記注視点のまわりを無秩序化操作の中心として前記画像を無秩序化し、３〜９°の範囲内に入る角度で、好ましくは時計回りに、前記画像を回転させるステップと、（ｂ）前記元の画像のコピーをＸ方向（水平）に２〜１０％の範囲内に入る率でストレッチし、前記選択した注視点のまわりの前記画像の領域を選択するステップと、（ｃ）ステップ（ｂ）で形成した画像の前記選択した領域をステップ（ａ）で形成した画像とマージするステップとを含む画像処理技術。
2006521614.tif 000002
【特許請求の範囲】
【請求項１】
（ａ）元の画像をＹ方向（垂直）に２〜１０％の範囲内に入る率でストレッチし、
注視点を選択し、前記注視点の周辺を無秩序化操作の中心として前記画像を無秩序化し、
３〜９°の範囲内に入る角度で前記画像を回転させるステップと、
（ｂ）前記元の画像のコピーをＸ方向（水平）に２〜１０％の範囲内に入る率でストレッチし、
前記選択した注視点の周辺の前記画像の領域を選択するステップと、
（ｃ）ステップ（ｂ）で形成された画像のうち前記選択された領域を、ステップ（ａ）で形成された画像とマージするステップと、
を含む画像処理技法。
【請求項２】
ステップ（ａ）および（ｂ）で形成された画像の間の境界を微調整する追加ステップをさらに含む、請求項１に記載の技法。
【請求項３】
前記処理技法のステップ（ａ）は、コントラストを１０〜４０％の範囲内に入る率で変更するステップおよび／または前記画像の色の彩度を１０〜４０％の範囲内に入る率で減少させるステップをさらに含む、請求項１または請求項２に記載の技法。
【請求項４】
明るさを２〜４０％の範囲内に入る率で減少させるステップをさらに含む、請求項３に記載の技法。
【請求項５】
前記回転を時計回りの向きに行う、請求項１から請求項４のいずれか一項に記載の技法。
【請求項６】
ステップ（ａ）の無秩序化操作は、前記画像を自己相似的なフラクタルの無秩序化パターンに一致させて無秩序化することを含む、請求項１から請求項５のいずれか一項に記載の技法。
【請求項７】
ステップ（ａ）で、少なくとも１つの対象物の少なくとも１つの境界または縁を特定すること、および、前記境界または縁のところで無秩序化の度合いに不連続性を導入することをさらに含む、請求項１から請求項６のいずれか一項に記載の技法。
【請求項８】
スキャナ、デジタル・カメラから導出された画像データに対して、または、コンピュータ・プログラムを含む他の情報源から得たまたは作成したデジタル画像データに対して、請求項１から請求項７のいずれかの技法を行うようにプログラムされたコンピュータ。
【請求項９】
実質的に、添付の図面を参照して以上で説明した通りの画像処理技法。
【発明の詳細な説明】
【技術分野】
【０００１】
本発明は、画像の処理または操作技術に関し、より詳細には、基本的な２次元画像および派生される仮想現実感（ＶＲ、ｖｉｒｔｕａｌ  ｒｅａｌｉｔｙ）環境で描画された３次元の奥行きおよび形状に対するわれわれの認識を向上させるために使用可能な技術に関する。このようにして処理された画像は、信用性（ｂｅｌｉｅｖａｂｉｌｉｔｙ）が向上し得る。したがって、本発明により、信用性のしきい値の向上が可能になる。
【背景技術】
【０００２】
３次元の情景の表示または描画を、従来の２次元の技術を用いて、たとえば、紙などの上に印刷することまたはテレビ、コンピュータ・モニタなどの上に表示することによって、あるいは投影によって行うと、脳は表示された画像を実際にはある程度３次元のものであるとして知覚するが、表示された画像の奥行きおよび形状の知覚が特によいわけでもない場合がある。これは、脳が表示された画像を完全に解釈するのに十分な単眼の奥行きの手がかり（cues）がないためであると考えられる。
【０００３】
以下の説明では、「絵柄」（ｐｉｃｔｕｒｅｓ）と「画像」（ｉｍａｇｅｓ）の間を区別する。絵柄および画像の以下の定義は、Ｊａｎ  Ｋｏｅｎｄｅｒｉｎｋ教授（視覚研究者）によってなされてきたものであり、本明細書中で使用する用語は、これに従って解釈すべきである。
絵柄：「現実の像（ｒｅａｌ  ｉｍａｇｅ）、ビデオ信号などの順序付けられた記録、写真、神経構造における活動パターン。絵柄の秩序は、純粋に慣例的なものであり、外部要因との関係においてのみ存在する。」
画像：「知覚者の構造全体（生涯の経験）がその中にまとめられているため、常に絵柄以上のものを含む。」
【０００４】
本発明は、少なくともある程度、絵柄を画像へと変換する技術の分離に関する。
【０００５】
本発明の技術は、「画像空間（image space）」と呼ばれている新しい形態の錯視空間（ｉｌｌｕｓｉｏｎａｒｙ  ｓｐａｃｅ）（したがって、伝統的な絵柄空間（picture space）とは異なっている）を同定する理論的な作業から開発している。画像空間では、周辺視および中心視の個別的性質および専門性を、また、脳機能により、視覚の重要な局面が、この２つの間の「相対論的な判断」（ｒｅｌａｔｉｖｉｓｔｉｃ  ｊｕｄｇｅｍｅｎｔｓ）によって「創り出される」ことを承認する。このアプローチの新規性で重要な点は、こうした新しい手がかりが、いまだ認識されていない“単眼”の手がかりおよび“単眼”投影の合成に依存していることを悟ることである。こうした単眼の手がかりにより、見た目の３次元の奥行きを達成するこの方法は、両眼視差などから導かれる立体視の手がかり（ｓｔｅｒｅｏ  ｃｕｅｓ）を利用する他の技術から区別される。脳が、単眼視で使用する２つの投影を正しく表現し調整して、それによって、知覚した画像（視覚として知られる投影）を合成することにより、他の方法では絵画的情報が導かれる「現実の状況（real setting）」を直接観察することによってしか創り出すことのできないはずの奥行きおよび形状の知覚の複製を脳に引き起こすことが可能である。
【０００６】
１．伝統的な絵柄空間（透視投影または写真／フィルム記録）に、必要な手がかりを吹き込むことによって、
２．新しい錯視空間をモデル化する諸原理を使用して新規な仮想現実感（ＶＲ）環境を生成することによって、
「画像空間」は、絵画的にいくつもの手法で達成し／引き起こすことができる。
【発明の開示】
【発明が解決しようとする課題】
【０００７】
本発明の一目的は、既存の技術と組み合わせて使用することができ、それにより、画像を作成または変更してもとの絵柄の奥行きの知覚を向上させることができるシステムを提供することである。それぞれの場合に、画像空間では、脳がわれわれの視覚に関連する奥行きおよび形状の付加的な知覚を引き出すことのできる刺激の組み込みを利用している。
【課題を解決するための手段】
【０００８】
本発明の一形態によれば、
（ａ）元の絵柄をＹ方向に２〜１０％の範囲内に入る率でストレッチし、
注視点（fixation point）を選択し、注視点のまわりを無秩序化操作（disordering operation）の中心として画像を無秩序化し、
３〜９°の範囲内に入る角度で画像を回転させるステップと、
（ｂ）元の画像のコピーをＸ方向に２〜１０％の範囲内に入る率でストレッチし、
選択された注視点のまわりの画像領域を選択するステップと、
（ｃ）ステップ（ｂ）で形成された画像のうち選択された領域をステップ（ａ）で形成された画像とマージするステップと、
を含む画像処理技術が提供される。
【０００９】
ステップ（ａ）で、画像の回転は、好ましくは時計回りの向きである。少数の人たちは画像を反対の向きに回転させることを好む可能性があり、この技術を使用してそのような人たちが見る画像を作成する場合には、回転を反時計回りの向きに行ってもよい。
【００１０】
無秩序化操作は、好ましくは、選ばれた自己相似的なフラクタルの無秩序化パターンに従って無秩序化することを含む。
【００１１】
ステップ（ａ）で規定された変換の結果として形成した画像を、以下ではタイプ１画像と呼ぶこととし、ステップ（ｂ）で規定された変換で作成したものは、タイプ２画像と呼ぶこととする。
【００１２】
したがって、本技術は、次のことのために使用することができる。すなわち、
ｉ）脳がわれわれの現実世界に対する単眼投影で使用する２つの基本的な投影の外観を、既知の絵柄環境を変換することによって模倣すること。
ｉｉ）脳が知覚される視覚画像を形成するのに使用するこれらの基本的な投影の典型的な合成／構造を複製すること。
【００１３】
有効な合成を形成する際に重要なことは、注視点（ｆｉｘａｔｉｏｎ  ｐｏｉｎｔ）の選択、（中心視の既知の制約に整合する）注視エリアの確立、ならびに、「注視ボリューム（fixation volume）」内、周辺視、およびタイプ１画像とタイプ２画像との間の界面の周辺における支配的な条件を正しく与えることである。リアル・タイムでの観察と同様に、注視点は媒体上で確立される必要がある。注視点は、様々な変換技術がそのまわりを中心とする点である。向上した３次元の奥行きおよび形状の手がかりは次のものによって確立されると考えられる。すなわち、
１．脳、これは、脳が中心視のまわりの２組の情報の間の界面間の相対論的な判断を行うためである。
２．新しい形の空間次元を提供する周辺視の中の自己相似的な無秩序化情報の特化した描画（ｓｐｅｃｉａｌｉｓｔ  ｒｅｎｄｉｔｉｏｎ）の忠実な表現。
【００１４】
両方のデータの組からの位置あわせの中心点（注視点）がなければ、脳が必要な計算を行うことは不可能であろう。注視エリアにより、中心視の範囲にほぼ類似する注視点のまわりの領域が確立される。したがって、注視エリアにより、注視ボリュームの特定の条件の対象となる画像の範囲が確立される。注視ボリュームは、注視エリア内部に含まれる球形の作用領域（ａｒｅａ  ｏｆ  ｉｎｆｌｕｅｎｃｅ）である。この作用領域内へと投影されるどのような形状（対象物）、表面、または形状の一部も、上記の画像タイプ２の定性的および定量的な特徴に従って脳内で投影される。
【００１５】
注視エリア内に含まれる注視ボリュームの外側の対象物に対する他のどのような視覚的参照も、上記の画像タイプ１のように参照されることになる。
【００１６】
注視ボリュームの外側の中心視の領域は、「周辺視」の特徴のように参照される。
【００１７】
脳の使用するいくつもの典型的な合成があり、そこでは、２つの画像タイプの特徴および並置が、新しい手がかりが演繹される相対論的な判断の生成を可能とする形態で利用される。
【００１８】
このようにして処理される画像は、われわれのリアル・タイムの単眼による観察の投影（視覚画像）とよりよく適合し、これにより、脳は２次元画像または仮想現実感のセッティングからの３次元の手がかりをより十分な範囲で正しく解釈できるようになると考えられる。単眼視の投影は、脳が視野を編集する（ｃｏｍｐｉｌｅ）ときに、脳が或る自由度を有することを可能にする２つのデータセットから編集されるようである。こうした潜在的な合成は、見る者が行う特定のタスクに適合するようになされていることが指摘されている。たとえば、２次元の印刷物を読むのに、３次元情報はほとんど必要ない。この種類の情報のために、進行中のタスクへの注意が逸らされることさえある。この状況では、１つのデータセットだけが使用されて、処理中の視覚情報は減少する。詳しい空間的分析が必要なときには、特化した合成が使用される。中心視の半分が抑制されたものでは、タイプ１の情報の特徴が中心視の中へ注視点まで拡がることが可能である。このプロセスは、相対論的な判断を行う役目をもつ重要な脳機能を可能にし、したがって、注視されている実際の対象物上で動作するように、形状の手がかりを促進させる。この合成の特徴は、しばしば、静物の題材を描く視覚芸術家（ｖｉｓｕａｌ  ａｒｔｉｓｔｓ）の作品中で明らかになっている。
【００１９】
周辺視に含まれる情報の性質および構造は、まだ大部分が、視覚の科学では未解決である。本発明では、自己相似的な（フラクタルの）無秩序化（非ぼかし）の特性を使用して、中心視（周辺視）の外側に投影されるこの種類の情報を複製する。本発明では、周辺視に、注視点を中心とする独立の３次元の次元、すなわち、注視点からあらゆる方向に生成される無秩序のレベルを属性として与える新規の一ステップが特定される。したがって、２次元の絵柄の変換は、この種類の情報を複製するように、無秩序のレイヤをターゲットの注視点から垂直平面上で後方、前方、および外方向へと形成することによって行われる。これにより、画像中の新しい形態の空間的次元が確立される。静止画像では、この技術は、画像中の奥行き知覚を向上させるものと考えられる。しかし、本当の利点は、動く画像中の知覚される動きの正確な解釈を与える能力にあると考えられる。ターゲットの注視点のまわりの動きは、習得してしまえば、今度は「本物のセッティング」から観察される動きに対するわれわれの知覚に近付く。この３次元情報は、変換プロセス中で「奥行きマップ」として使用するために、特化した機器を用いて、たとえば、フィルム・カメラ内に組み合わせられたレーザ画像またはＬＥＤ発光技術を利用してキャプチャすることができる。
【００２０】
動画では、そこに描かれる動作が進展するにつれてターゲットの注視点に対する変更も必要になる。注視点の変更を引き起こすための技術は、動く媒体で表現された動作に組み込まれており、眼球運動の手順によって見る者を導くことになる。
【００２１】
本処理技術は、ステップ（ａ）および（ｂ）で形成した画像の間の境界のまわりを微調整する追加のステップを必要とするのでもよい。
【００２２】
本処理技術のステップ（ａ）は、タイプ１情報のコントラストを＋１０〜４０％の範囲内の比率で変更し、かつ／または画像の明るさ（ｂｒｉｇｈｔｎｅｓｓ）を２〜４０％の範囲内の比率で減少させるステップをさらに含むことができる。コントラストをこのように増加させる場合、色の彩度（ｓａｔｕｒａｔｉｏｎ）は、好ましくは、（普通、コントラストのレベルの増加に合わせるために）調節レベル（ａｃｃｏｍｍｏｄａｔｉｏｎ  ｌｅｖｅｌ）まで低減させるべきである。
【００２３】
以上で定義した技術は、コンピュータを用いて、たとえば、スキャナまたはデジタル・カメラから導出した画像データに対して、あるいは、コンピュータ・プログラムを含む他のソースから得たまたは作成したデジタルの絵柄データに対して行うことができる。しかし、本技術は、他の手法でも行うことができ、本発明は本明細書に説明する特定の配置または適用例に制限されないことが理解されよう。
【００２４】
本発明の説明は、例として、添付の図面を参照して、さらに行うことにする。
【発明を実施するための最良の形態】
【００２５】
本発明を、まず、図１に示す画像を参照して説明する。明確に理解されるように、図１は、花瓶１０、円錐１２、球１４、および立方体１６のコンピュータで生成したまたは仮想現実感（バーチャルリアリティ）の表現である。示された対象物のそれぞれは３次元の対象物であるため、このイラストでは、等角投影を使用して脳の解釈すべき奥行きの手がかりを提供し、対象物が三次元空間内でのその形状の正確な表現であるように見せている。対象物はそれぞれ他の対象物のすべてから孤立されており、対象物の相対位置を示す中心の透視の手がかり（ｃｅｎｔｒａｌ  ｐｅｒｓｐｅｃｔｉｖｅ  ｃｕｅｓ）はない。その結果、脳が、この画像を解釈して、たとえば、対象物の相対的な大きさおよび３次元空間内でのそれらの位置を決定することは難しい。この画像では、立方体はどちらも同じサイズとして描かれており、一方が他方よりもはるかに向こうにあるにもかかわらず、同じサイズであるとして知覚される。
【００２６】
本発明によれば、改善された形状の画像を形成するために、図１の基本の画像が処理される。これは、図１の画像を対象とし、この画像をＹ方向（垂直）に２〜１０％の範囲内に入る、好ましくは約５％の率でストレッチし、無秩序化し、３〜９°の範囲内に入る角度で時計回りに、好ましくは６°ほど時計回りに回転させる変換をこの画像に対して行うことによって達成される。図２に、画像のストレッチングおよび回転の効果を示しているが、（わかりやすさのために）この画像を無秩序化することの影響は示していない。これらの操作を行う順序は変えてもよいが、順序が説明した通りでない場合は、使用する値／率を変える必要がある場合がある。
【００２７】
この画像のもう１つのコピーは、２〜１０％の率でＸ方向（水平）にストレッチされている。好ましくは、前の変換での画像との差が約５〜２０％になるようにストレッチする。画像上の注視点を選択し、注視点のまわりの領域を選択して、画像の残りは削除する。この操作の結果を図３に示してあり、そこでは花瓶の中心を注視点として選択している。
【００２８】
このようにして作成した２つの画像を互いに重ね合わせる。画像の重ね合わせにはいくつかの異なる技術を用いることができる。図４には、図２の画像を対象として、単に注視点のまわりの領域を図３の画像で置き換えることの効果を示している。図５には、代替的な重ね合わせ技術の結果を示しており、２つの画像が重複され、両画像の一部が見えており、花瓶は融合した形状をしている。注視エリアは花瓶であり、これはタイプ１および２の画像どちらからも融合させて組み合わせた形状を含み、この形状では奇妙な外見の結合に最初は見える。しかし、花瓶の中心を注視すると、２つの独自性（ｉｄｅｎｔｉｔｉｅｓ）が脳によって単一の知覚へとマージされる。この知覚は、３次元以上の花瓶の性質を持っている。拡大された３次元知覚の能力が、今度はこの絵柄中の他の対象物すべてへと拡張される。たとえば、２つの立方体のうち向こうのものは、今度は、近い方の立方体よりも大きく知覚される。
【００２９】
次に図６ａ、６ｂ、および６ｃを参照すると、図６ａには、６本の垂直に延伸する線分２２の間に位置する瓶２０を模式的に示している。図６ａのイラストを本発明の一実施形態に従って変更または処理して図６ｂの画像を形成している。わかりやすさのため、ここでも、無秩序化操作は省略してある。図６ｂの画像を瓶２０の中心を注視することによって見ると、図６ａの絵柄に比べて改善された度合いの奥行きをその画像に見ることができ、図６ｂの画像は、図６ａに示すイラストよりも脳が解釈する大きなレベルの奥行きの手がかりを含んでいる。図６ｃは、以上で説明したプロセスを用いているが、元の画像の異なる、より小さな部分を注視エリアとして使用することで形成された別の画像である。
【００３０】
図７ａ、７ｂ、および７ｃは、図６ａ、６ｂ、および６ｃに類似しているが、テーブル２６の上に置かれた瓶２４が描かれている。
【００３１】
この３次元の形状及び奥行きの知覚は、いくつかの点で、透視空間によって得られる知覚に類似する。しかし、透視の手がかりは、中心視においてまたは視野の範囲全体にわたって空間的な奥行きを得るための主要な方法ではないと現在では考えられている。そうではなく、われわれは、空間的な奥行きおよび形状を、２つの異なるデータの組または２つの異なる画像のタイプの間の相対論的な判断を行うわれわれの視覚システムに関係するプロセスによって見ているのである。上で特定した構成により、脳は、２次元の空間を観察すると、刺激されてこのプロセスに関わり、本物のセッティングに対する認識により精通している手がかりをわれわれに提供する。
【００３２】
この新しい画像空間により、われわれの周囲に対する実際の視覚的な認識において知覚する方法に似た方法で奥行きを創り出すことができるようになる。この新しい画像空間を見れば、リアル・タイムの観察による実際の行動により近づくことになろう。
【００３３】
次に図８から１０を参照すると、本物のセッティングの元のデジタル化された写真を図８に示している。有効な合成を形成する際に重要なことは、注視点および注視エリアの選択、および「注視ボリューム」および周辺視で支配的な条件を正しく与えることである。この場合では、瓶の中心が注視点として選択されている。図９には、以上で説明した変換を行うことの効果を示しているが、わかりやすさのために無秩序化操作は省略してあり、一方の画像上の注視点のまわりの画像の一部は、単に他方の画像の関連する部分で置き換えてある。注視点のまわりに確立された注視エリア内部の項目は、タイプ２の画像として、関連する定性的および定量的な変換のいくつかを伴って表現されている。注視エリアの外側では、対象物及び表面は、すべて、タイプ１の画像に従って、関連する定性的および定量的な変換で描画される。図９で理解されるように、マージした画像中の２つの画像の間の境界１８は、はっきりと見えている。図１０には、画像の間の境界の影響を除去または低減する変更された重ね合わせ技術の結果が示されており、並びに、注視ボリュームの確立が示されている。注視ボリュームの確立では、注視ボリュームの球形の影響に含まれない表面および対象物もすべてタイプ１の画像に従って描画される。
【００３４】
たとえば、瓶の首のまわりで、壁の石は、図９の注視エリアの周囲の内部にあるが、注視ボリュームに含めるには瓶から遠すぎ、そのため、タイプ１の画像に従って参照されている。
【００３５】
たとえば、枝付き燭台（ｃａｎｄｅｌａｂｒａ）の腕は、１本注視ボリュームから突き抜けており、そのためタイプ２の画像に従って参照されているが、この対象物の残りの部分はこの作用領域の外側にあり、そのためタイプ１の画像に従って描画されている。
【００３６】
図９および図１０を図８と比較することにより、以上で触れた変換のほかに、Ｙ方向にストレッチされている画像は、コントラストのレベルを増加させ、色の彩度（ｓａｔｕｒａｔｉｏｎ）のレベルを低減することによっても変更されることが明らかである。また、この画像は明るさ（ｂｒｉｇｈｔｎｅｓｓ）も低減されている。コントラストは、１０〜４０％の範囲内に入る量、好ましくは約２５％だけ増加されており、明るさは、２〜４０％の範囲内に入る量、好ましくは約１０％だけ低減されている。色の彩度のトーン・ダウンは、より高いコントラストの効果を相殺するためであり、ほぼ比例している。
【００３７】
以上で説明した技術を用いて処理した画像では、脳によって投影された画像への類似の度合いが向上または増加すると考えられる。デジタル化された媒体でこの構造／枠組み（ａｒｍａｔｕｒｅ）を使用すると、周辺視と中心視との間に存在することが知られている差のうちの多くの側面を入力することが可能になる。知覚される視覚画像の合成の明確で正確な表現により、２次元の描画（ｒｅｎｄｉｔｉｏｎ）の観察者は、描かれている実際の状況に対する実現可能性のより高い知覚をもたらす付加的な計算を行うことができるようになる。
【００３８】
変換された画像の観察者は、付加的な手がかりの影響全体を知覚／認識するには、選択された注視点を見つめる（注視する）ことが必要になる。
【００３９】
以上の説明で、画像を無秩序化するステップへの言及を行ってきた。いくつもの無秩序化技術を使用することができるが、好ましい技術は、画像の増進的な無秩序化を、たとえば、図１１に示すヒマワリ状のフラクタル・パターンを用いて行い、これにより、処理した画像中に見える詳細の量を注視点からの距離が増すにつれて低減させるようにすることである。この提案の一部として含まれる新規な特徴は、絵柄情報中で使用されている他の３次元の手がかり（たとえば透視）に対して独立な３次元の空間的な次元へとこのパターンを使用し適合させることを指している。
【００４０】
図１２は、好ましくは、無秩序化操作を行うことのできる或る手法を示す概略図である。図１２の画像は、その注視点のところに、花瓶３０を含む。平らな垂直のスクリーン３２が３枚、花瓶３０の前の片側に、一列に置かれている。木の枝３４は、前景を横切って、他の対象物のすべての前で延びている。以上で説明した配置では、無秩序化操作は、注視点を直接に取り巻く画像の部分に小さなレベルの無秩序さを導入するだけのために行われており、無秩序さの度合いは、図１１のヒマワリ・パターンと一致して、注視点からの距離が増すにつれて増大する。図１２の配置では、この一般的なアプローチを取っているものの、無秩序化操作の変更は、描かれている対象物の境界または縁を特定するために、並びに、縁または境界のところで無秩序さの度合いに不連続性または飛躍を導入するために行われている。無秩序さの度合いに対する不連続性から、見る人の脳が解釈するための空間的な奥行きの手がかりが画像中にさらに生み出される。
【００４１】
以上で説明した技術を用いて処理した画像により、改善または向上した奥行きの知覚または投影が、注視点のまわりおよび周辺の領域にわたる画像の部分に提供されると考えられる。向上された奥行きの知覚は、見る者が画像を両眼で見る場合と画像が単眼でのみ見られるときのどちらでも明らかである。立体視ができない（ｓｔｅｒｅｏ  ｂｌｉｎｄ）人は、こうした変換された画像が含む付加的な奥行きを知覚する。これとは対照的に、立体視ベースの集まり（ａｓｓｅｍｂｌａｇｅｓ）における組織された奥行きでは、立体視ができない人に作用し損ねてしまう。
【００４２】
以上において、技術は、コンピュータで生成した絵柄の形態にせよ写真の形態にせよ、絵柄の処理に関して記述されてきたが、これはそうである必要はなく、本発明は、コンピュータまたはテレビのディスプレイ、投影される画像、仮想現実感ディスプレイ、アニメーション、および印刷媒体を含む広い範囲の技術および表示技術に適用できることが理解されよう。また、本発明が適用例を見出すことができるものとしては、たとえば、画像のキャプチャに関わる写真家、ディレクター、または他の者が、どのように画像がキャプチャ前に変換され、またはキャプチャの完了が行われるか見ることができるように変換済みの画像を「リアル・タイム」で表示できるディスプレイを組み込むように設計された（静止画用または動像用の）カメラがある。これに適合するために、カメラにはセンサを提供して、視野内での対象物の奥行きの計測を、画像のキャプチャと同時に、これら２つの構成要素を互いに組み合わせて、また画像の変換において以上で説明した技術と組み合わせて使用して、行えるようにすることができる。さらに、視野内の注視点の位置を入力することが必要になる。これは、視野の中心に設定することもでき、または、適当な入力手段を用いて、ディレクター、写真家、または他の者が選択するのでもよい。
【図面の簡単な説明】
【００４３】
【図１】本画像処理技術を使用する前のイラストの図である。
【図２】本画像処理技術の諸ステップを示す図である。
【図３】本画像処理技術の諸ステップを示す図である。
【図４】図１のイラストの処理済みの形態を示す図である。
【図５】図１のイラストの処理済みの形態を示す図である。
【図６】本プロセスの効果を示すさらなる図である。
【図７】本プロセスの効果を示すさらなる図である。
【図８】本プロセスの効果を示すさらなる図である。
【図９】本プロセスの効果を示すさらなる図である。
【図１０】本プロセスの効果を示すさらなる図である。
【図１１】本プロセスの一部を示す図である。
【図１２】本技術の変形例を示す図である。
【図１】
2006521614.tif 000003
【図２】
2006521614.tif 000004
【図３】
2006521614.tif 000005
【図４】
2006521614.tif 000006
【図５】
2006521614.tif 000007
【図６】
2006521614.tif 000008
2006521614.tif 000009
【図７】
2006521614.tif 000010
【図８】
2006521614.tif 000011
【図９】
2006521614.tif 000012
【図１０】
2006521614.tif 000013
【図１１】
2006521614.tif 000014
【図１２】
2006521614.tif 000015
【国際調査報告】
2006521614.tif 000016
2006521614.tif 000017
2006521614.tif 000018